(57)【要約】      （修正有）【課題】少なくともレジューム機能を備える画像形成装置において、ログアウト時の画面を表示するようユーザが指定することができる画像処理装置を提供する。【解決手段】画像処理装置は、初期表示画面設定処理を行うために用いられる初期表示画面設定ダイアログ５００を画像形成装置の起動／復帰後に液晶表示部に表示する。初期表示画面設定ダイアログ５００は、メインメニューボタン５０１ａ、カスタムメニューボタン５０１ｂ、コピーボタン５０１ｃ、及びログアウト時の画面ボタン５０２を有し、ユーザが、初期表示画面設定ダイアログ５００により、画像形成装置の起動／復帰後に表示する画面として「メインメニュー」、「カスタムメニュー」、「コピーメニュー」、及び「ログアウト時の画面」のうち、いずれか１つを設定画面として選択することにより、ユーザが意図する初期表示画面を液晶表示部に表示する。【選択図】図５
2018050296.tif 000002
【特許請求の範囲】
【請求項１】
画像形成装置の起動又は復帰後に表示する初期画面として、ログアウト時の画面を表示するようユーザに指定させるための指定手段と、
前記指定手段による指定に基づき、前記画像形成装置の起動又は復帰後の初期画面の表示を制御する制御手段とを有することを特徴とする画像形成装置。
【請求項２】
前記ログアウト時の画面を表示することが指定された場合は、前記ユーザがログアウトしたことに応じてログアウト時に表示されていた画面の情報が格納手段に格納されることを特徴とする請求項１記載の画像形成装置。
【請求項３】
ユーザの認証を行って認証情報を取得する認証手段をさらに有し、
前記格納手段に格納される情報は、前記認証手段が取得した認証情報と関連付けられることを特徴とする請求項２記載の画像形成装置。
【請求項４】
前記制御手段は前記格納手段の情報に基づき前記初期画面の表示を制御することを特徴とする請求項２又は３に記載の画像形成装置。
【請求項５】
前記指定手段は、さらに、前記初期画面にセットする初期設定値として、前記ユーザにより登録された設定値を用いるか、ログアウト時の設定値を用いるかを前記ユーザに指定させることを特徴とする請求項１乃至４のいずれか１項に記載の画像形成装置。
【請求項６】
画像形成装置の起動又は復帰後に表示する初期画面として、ログアウト時の画面を表示するようユーザに指定させるための指定ステップと、
前記指定ステップによる指定に基づき、前記画像形成装置の起動又は復帰後の初期画面の表示を制御する制御ステップとを有することを特徴とする画像形成方法。
【請求項７】
画像形成方法をコンピュータに実行させるプログラムであって、
前記画像形成方法は、
画像形成装置の起動又は復帰後に表示する初期画面として、ログアウト時の画面を表示するようユーザに指定させるための指定ステップと、
前記指定ステップによる指定に基づき、前記画像形成装置の起動又は復帰後の初期画面の表示を制御する制御ステップとを有することを特徴とするプログラム。
【発明の詳細な説明】
【技術分野】
【０００１】
本発明は、画像形成装置及び方法、並びにプログラムに関し、特に、ユーザが意図する初期表示画面を表示させることができる画像形成装置及び方法、並びにプログラムに関する。
【背景技術】
【０００２】
近年、複数のユーザによって１台の画像形成装置が共有されることが一般的となっており、各ユーザがユーザ固有のカスタマイズ設定を行った画面を初期表示画面として表示するカスタマイズ機能を備えた画像形成装置がある（例えば、特許文献１参照）。
【０００３】
一方、カスタマイズ設定は各ユーザが自分自身で行わなければならず、画像形成装置に不慣れなユーザにとってはカスタマイズ設定そのものが難しい。そのため、各ユーザが複数の機能を選択して１つの作業を行うときに、選択された複数の機能のうち、最初に使用された機能に係る画面を初期表示画面として表示するレジューム機能をさらに備えた画像形成装置がある（例えば、特許文献２参照）。
【先行技術文献】
【特許文献】
【０００４】
【特許文献１】特開２０００−２３１３０９号公報
【特許文献２】特開２００８−２７３１２６号公報
【発明の概要】
【発明が解決しようとする課題】
【０００５】
しかしながら、カスタマイズ機能及びレジューム機能を備えた画像形成装置において、いずれか一方の機能が優先的に実行されて表示される初期表示画面が必ずしもユーザの意図する初期表示画面ではないという問題がある。
【０００６】
本発明の目的は、少なくともレジューム機能を備える画像形成装置において、ログアウト時の画面を表示するようユーザが指定することができる画像処理装置及び方法、並びにプログラムを提供することにある。
【課題を解決するための手段】
【０００７】
上記目的を達成するために、本発明の画像形成装置は、画像形成装置の起動又は復帰後に表示する初期画面として、ログアウト時の画面を表示するようユーザに指定させるための指定手段と、前記指定手段による指定に基づき、前記画像形成装置の起動又は復帰後の初期画面の表示を制御する制御手段とを有することを特徴とする。
【発明の効果】
【０００８】
本発明によれば、少なくともレジューム機能を備える画像形成装置において、ログアウト時の画面を表示するようユーザが指定することができる。
【図面の簡単な説明】
【０００９】
【図１】本発明の実施の形態に係る画像形成装置を有する画像出力システムの構成を概略的に示すブロック図である。
【図２】図１におけるコントロールユニットの内部構成を示すブロック図である。
【図３】図２におけるＣＰＵの内部構成を示すブロック図である。
【図４】図２における操作部の構成を説明するために用いられる図である。
【図５】図４における液晶表示部に表示される画面を説明するのに用いられる図である。
【図６】図５の初期表示画面設定ダイアログを用いて初期表示画面を設定する初期表示画面設定処理の手順を示すフローチャートである。
【図７】図６の処理によって設定した初期表示画面を表示する初期表示画面表示処理の手順を示すフローチャートである。
【図８】図４における液晶表示部に表示される他の画面を説明するのに用いられる図である。
【図９】図８のデフォルト設定変更画面を用いてデフォルト設定を変更するデフォルト設定変更処理の手順を示すフローチャートである。
【図１０】図９の処理によって変更されたデフォルト設定を実行するデフォルト設定実行処理の手順を示すフローチャートである。
【発明を実施するための形態】
【００１０】
以下、本発明の実施の形態を図面を参照しながら詳述する。
【００１１】
図１は、本発明の実施の形態に係る画像形成装置を有する画像出力システムの構成を概略的に示すブロック図である。
【００１２】
図１の画像出力システムは、ＬＡＮ２０１１を介して互いに接続されたホストコンピュータ１１及び画像形成装置２００からなる。画像形成装置２００は、スキャナ部２０７０、プリンタ部２０９５、コントロールユニット２０００、及び操作部２０１２を備え、コントロールユニット２０００は、ＬＡＮ２０１１に接続されている。
【００１３】
ホストコンピュータ１１は、クライアントコンピュータとして機能する情報処理装置であり、表示装置、キーボード、ポインティングデバイス、及びコンピュータ本体を含む。コンピュータ本体は、ＲＡＭや記憶装置を内蔵すると共に記憶装置に格納されているオペレーティングシステムをＲＡＭ上に読み出してアプリケーションプログラムを実行する。
【００１４】
図２は、図１におけるコントロールユニット２０００の内部構成を示すブロック図である。
【００１５】
図２において、コントロールユニット２０００は、ＣＰＵ２００１、ＲＡＭ２００２、ＲＯＭ２００３、ＨＤＤ２００４、イメージバスＩ／Ｆ２００５、操作部Ｉ／Ｆ２００６、システムバス２００７、ＶＲＡＭ２００９、ネットワークＩ／Ｆ２０１０、モデム２０５０を有し、これらはシステムバス２００７を介して互いに接続されている。コントロールユニット２０００は、また、イメージバスＩ／Ｆ２００５、デバイスＩ／Ｆ２０２０、画像回転部２０３０、画像圧縮部２０４０、ＲＩＰ２０６０、スキャナ画像処理部２０８０、プリンタ画像処理部２０９０を有し、これらは画像バス２００８を介して互いに接続されている。
【００１６】
操作部Ｉ／Ｆ２００６は操作部２０１２に、ネットワークＩ／Ｆ２０１０はＬＡＮ２０１１に、モデム２０５０はＷＡＮ２０５１に夫々接続されている。また、デバイスＩ／Ｆ２０２０は、スキャナ２０７０及びプリンタ２０９５に夫々接続されている。
【００１７】
ＣＰＵ２００１は、システム全体の制御を行い、ＲＡＭ２００２に格納されたプログラムに従って処理を実行する。ＲＡＭ２００２は、ＣＰＵ２００１を動作させるためのシステムワークメモリであると共に、画像データを一時的に格納するための画像メモリである。ＲＯＭ２００３は、システムのブートプログラムを格納するブートＲＯＭである。
【００１８】
ハードディスクドライブ（ＨＤＤ）２００４は、システムソフトウェア、画像データを格納する。イメージバスＩ／Ｆ２００５は、システムバス２００７と画像バス２００８を互いに接続するバスブリッジであると共に、システムバス２００７及び画像バス２００８を介して接続された他の機器と接続する。操作部Ｉ／Ｆ２００６は、操作部２０１２とシステムバス２００７を互いに接続すると共に、システムバス２００７を介して接続された他の機器と操作部２０１２とを接続する。
【００１９】
画像バス２００８は、ＰＣＩバス又はＩＥＥＥ１３９４で構成され、画像データを高速で転送することができる。ＶＲＡＭ２００９は、ＣＰＵ２００１がＨＤＤ２００４から取得した表示データに基づいて作成した画像データを格納する。ネットワークＩ／Ｆ２０１０は、ＬＡＮ２０１１とシステムバス２００７を互いに接続すると共に、システムバス２００７を介して接続された他の機器と接続する。モデム２０５０は、ＷＡＮ２０５１とシステムバス２００７を互いに接続すると共に、システムバス２００７を介して他の機器とＷＡＮ２０５１とを接続する。
【００２０】
デバイスＩ／Ｆ２０２０は、画像入力部Ｉ／Ｆ２０７１を介して接続されたスキャナ部２０７０及び印刷部Ｉ／Ｆ２０９６を介して接続されたプリンタ部２０９５と画像バス２００８を互いに接続すると共に、画像バス２００８を介して他の機器とスキャナ部２０７０及びプリンタ部２０９５とを接続し、特にＣＰＵ２００１と接続して画像データの同期系／非同期系の変換を行う。画像回転部２０３０は画像データの回転処理を行う。画像圧縮部２０４０は画像データの圧縮伸長処理を行い、多値画像データのときはＪＰＥＧにて、２値画像データのときはＪＢＩＧ、ＭＭＲ、ＭＨにて圧縮伸長処理を行う。
【００２１】
ＲＩＰ２０６０はＰＤＬコードからビットマップイメージを作成する。スキャナ部２０７０は、圧板やシート原稿読取装置（ＡＤＦ）を備え、圧板又はＡＤＦに原稿を置いて操作部２０１２の原稿読取開始ボタン（不図示）が押下されることによって原稿を光学的に読取る。プリンタ部２０９５は画像データ等の出力を行い、ユーザは操作部２０１２において、用紙に対する面付、ステイプル等のフィニッシャーが行う処理の設定や濃度等の画質設定等のプリンタ部２０９５における出力に関する設定を行うことができる。
【００２２】
スキャナ画像処理部２０８０は、入力される画像データに対して補正、加工、編集を行う。プリンタ画像処理部２０９０は、出力される画像データに対してプリンタの補正、解像度変換等を行う。
【００２３】
図３は、図２におけるＣＰＵ２００１の内部構成を示すブロック図である。
【００２４】
図３において、ＣＰＵ２００１は、操作制御部３０１、画像読取制御部３０２、画像出力制御部３０３、記憶制御部３０４、コピー制御部３０５、認証部３０７、及び画像処理部３０８を有し、これらは内部バス３１１を介して互いに接続されている。
【００２５】
操作制御部３０１は、操作部２０１２を制御すると共に、操作部２０１２を介してユーザから入力された要求内容に対応する画面を生成して操作部２０１２への表示を指示する。
【００２６】
画像読取制御部３０２は、スキャナ２０７０を制御すると共に、スキャナ２０７０によって読み取られた画像データを記憶制御部３０４を介してＲＡＭ２００２又はＨＤＤ２００４に格納する。このとき、画像読取制御部３０２は、スキャナ２０７０によって読み取られた画像データをＲＡＭ２００２、ＨＤＤ２００４のいずれに格納するかを、例えば、データサイズや高速処理が要求されるか否かによって決定する。
【００２７】
画像出力制御部３０３は、プリンタ２０９５を制御すると共に、記憶制御部３０４に接続されたＲＡＭ２００２やＨＤＤ２００４に格納された画像データを取得してプリンタ２０９５に出力する。記憶制御部３０４は、ＲＡＭ２００２やＨＤＤ２００４を制御すると共に、画像読取制御部３０２によって読み取られた原稿の画像データ等を格納する。コピー制御部３０５は、原稿の読取りを画像読取制御部３０２に指示すると共に、記憶制御部３０４に接続されたＲＡＭ２００２やＨＤＤ２００４に格納されている画像データの印刷を画像出力制御部３０３に指示する。
【００２８】
認証部３０７は、画像形成装置２００を使用するユーザの認証を行うことができる。具体的な認証方法としては、例えば、操作部２０１２を介して入力されたユーザ名、パスワード等の認証情報を画像形成装置２００のＲＡＭ２００２やＨＤＤ２００４に格納されたユーザデータベースに照合して認証する。その他、非接触型のＩＣカードや外部の認証サーバ（例えば、ＡｃｔｖｅＤｉｒｅｃｔｏｒｙ等）によって認証してもよい。画像処理部３０８は、出力向けの画像編集を行い、編集後の画像データを記憶制御部３０４を介してＲＡＭ２００２やＨＤＤ２００４に格納する。
【００２９】
図４は、図２における操作部２０１２の構成を説明するために用いられる図である。
【００３０】
図４において、操作部２０１２は、液晶表示部４０１、スタートキー４０２、ＬＥＤ４０３、ストップキー４０４、テンキー４０５、及びユーザモードキー４０６を有する。
【００３１】
液晶表示部４０１はタッチパネル操作可能な液晶表示画面であり、スタートキー４０２は原稿画像の読み取り等を開始するときに押下される。ＬＥＤ４０３はスタートキー４０２の使用可否を緑と赤の２色の点灯で示し、スタートキー４０２の中央部に位置する。ストップキー４０４は稼働中の画像形成装置２００の動作を止めるときに押下される。テンキー４０５は数字又は文字で構成され、コピー部数を指定するときや液晶表示部４０１の画面を切り替えるときに使用される。ユーザモードキー４０６は機器設定を行うときに押下される。
【００３２】
図５は、図４における液晶表示部４０１に表示される画面を説明するのに用いられる図である。
【００３３】
図５の初期表示画面設定ダイアログ５００は、後述する図６の初期表示画面設定処理を行うために用いられる画面であり、画像形成装置２００の起動／復帰後に図４における液晶表示部４０１に表示される。
【００３４】
初期表示画面設定ダイアログ５００は、メインメニューボタン５０１ａ、カスタムメニューボタン５０１ｂ、コピーボタン５０１ｃ、ログアウト時の画面ボタン５０２、ページ送りキー５０３、キャンセルボタン５０４、及びＯＫボタン５０５を有する。
【００３５】
ユーザは、初期表示画面設定ダイアログ５００により、画像形成装置２００の起動／復帰後に表示する画面として「メインメニュー」、「カスタムメニュー」、「コピーメニュー」、及び「ログアウト時の画面」のうち、いずれか１つを設定画面として選択することができる。例えば、メインメニューボタン５０１ａ又はカスタムメニューボタン５０１ｂが選択されたときは、夫々メインメニュー又はカスタムメニューが初期表示画面に設定される。コピーボタン５０１ｃが選択されたときは、コピー条件を設定するコピーメニューが初期表示画面として設定され、ログアウト時の画面ボタン５０２が選択されたときは、ログアウト時に液晶表示部４０１に表示されている画面が初期表示画面として設定される。
【００３６】
画像形成装置２００のユーザは「メインメニュー」、「カスタムメニュー」、及び「コピーメニュー」のいずれも初期表示画面として表示する内容を個別にカスタマイズすることができる。また、「ログアウト時の画面」もログアウト時の設定である必要はなく、ユーザの任意のタイミングの画面で再開（レジューム）することができる。
【００３７】
ページ送りキー５０３は、初期表示画面の選択ボタンが複数のページに亘って表示される場合、他のページを閲覧するために使用されるキーである。キャンセルボタン５０４は、初期表示画面設定ダイアログ５００で選択した設定を取消して初期表示画面設定ダイアログ５００を閉じるためのボタンであり、ＯＫボタン５０５は、初期表示画面設定ダイアログ５００によって選択した設定を確定して初期表示画面設定ダイアログ５００を閉じるボタンである。
【００３８】
なお、図５の初期表示画面設定ダイアログ５００は、画像形成装置２００のユーザにより個別にカスタマイズすることができる。
【００３９】
図６は、図５の初期表示画面設定ダイアログ５００を用いて初期表示画面を設定する初期表示画面設定処理の手順を示すフローチャートである。
【００４０】
本処理は、コントロールユニット２０００のＣＰＵ２００１によって実行される。
【００４１】
図６において、まず、画像形成装置２００のユーザが図５の初期表示画面設定ダイアログ５００を用いて初期表示画面の設定を開始する（ステップＳ６０１）。次いで、以下の判別を行う。すなわち、メインメニューボタン５０１ａが選択されたか否かを判別し（ステップＳ６０２）、カスタムメニューボタン５０１ｂが選択されたか否かを判別し（ステップＳ６０３）、コピーボタン５０１ｃが選択されたか否かを判別する（ステップＳ６０４）。
【００４２】
ステップＳ６０２の判別の結果、メインメニューボタン５０１ａが選択されたときは、初期表示画面の設定情報として「メインメニュー」をＨＤＤ２００４に格納する（ステップＳ６０５）。ステップＳ６０３の判別の結果、カスタムメニューボタン５０１ｂが選択されたときは、初期表示画面の設定情報として「カスタムメニュー」をＨＤＤ２００４に格納する（ステップＳ６０６）。ステップＳ６０４の判別の結果、コピーボタン５０１ｃが選択されたときは、初期表示画面の設定情報として「コピーメニュー」をＨＤＤ２００４に格納する（ステップＳ６０７）。
【００４３】
ステップＳ６０２〜Ｓ６０４の各判別の結果、メインメニューボタン５０１ａ、カスタムメニューボタン５０１ｂ、及びコピーボタン５０１ｃのいずれも選択されずログアウト時の画面ボタン５０２が選択されたときは、初期表示画面として「ログアウト時の画面」を選択してＨＤＤ２００４に格納する（ステップＳ６０８）。
【００４４】
続くステップＳ６０９で、画像形成装置２００の使用を終了する「ログアウト」が指示されると（ステップＳ６０９でＹＥＳ）、初期表示画面の選択情報をＨＤＤ２００４から取得して（ステップＳ６１０）、取得された初期表示画面の選択情報が「ログアウト時の画面」であるか否かを判別する（ステップＳ６１１）。
【００４５】
ステップＳ６１１の判別の結果、初期表示画面の選択情報が「ログアウト時の画面」のときは、ログアウト時の液晶表示部４０１に表示されている画面を初期表示画面の設定情報としてＨＤＤ２００４に格納して（ステップＳ６１２）、本処理を終了する（ステップＳ６１３）。一方、ステップＳ６１１の判別の結果、初期表示画面情報が「ログアウト時の画面」以外のときは、ステップＳ６１２をスキップして、直ちに本処理を終了する。
【００４６】
図７は、図６の処理によって設定された初期表示画面を表示する初期表示画面表示処理の手順を示すフローチャートである。
【００４７】
図７において、ユーザがログインすると（ステップＳ７０１でＹＥＳ）、図６の処理で設定されると共にログインしたユーザに関連付けられた初期表示画面に関する情報をＨＤＤ２００４より取得する（ステップＳ７０２）と共に、この取得した情報を液晶表示部４０１に表示して（ステップＳ７０３）、本処理を終了する。
【００４８】
図６及び図７の処理によれば、初期表示画面を設定する場合にメインメニューボタン５０１ａ、カスタムメニューボタン５０１ｂ、コピーボタン５０１ｃ、及びログアウト時の画面ボタン５０２のいずれか１つが押下され（ステップＳ６０１）、「メインメニュー」、「カスタムメニュー」、「コピーメニュー」、及び「ログアウト時の画面」のいずれか１つが初期表示画面として設定されるので（ステップＳ６０２〜Ｓ６０４及びステップＳ６０８）、ユーザが意図する初期表示画面を液晶表示部４０１に表示することができる（ステップＳ７０３）。
【００４９】
図８は、図４における液晶表示部４０１に表示される他の画面を説明するのに用いられる図である。
【００５０】
図８のデフォルト設定変更画面８００は、後述する図９のデフォルト設定変更処理を行うために用いられる画面である。ユーザは、図１における画像形成装置２００の各機能（以下、「所定の機能」という）のうち、実行する頻度の高い所定の機能に関する初期表示画面についてデフォルト設定を行うことにより、機能を実行する度に初期表示画面を設定する手間を省くことができる。
【００５１】
図８のデフォルト設定変更画面８００は、登録ボタン８０１、初期化ボタン８０２、ログアウト時の設定ボタン８０３、及び閉じるボタン８０４を有する。
【００５２】
登録ボタン８０１が押下されると、登録ボタン８０１を押下したときの所定の機能の設定情報をＨＤＤ２００４に格納する。登録ボタン８０１が押下されたときに、その時点でＨＤＤ２００４に格納されている設定情報に関するリストを表示してユーザに登録内容の確認をさせてもよい。初期化ボタン８０２が押下されると、所定の機能の設定情報を工場出荷時の設定情報としてＨＤＤ２００４に格納する。画像形成装置２００のユーザは所定の機能の設定情報について個別にカスタマイズすることができる。
【００５３】
ログアウト時の設定ボタン８０３が押下されると、ログアウト時の所定の機能の設定情報をＨＤＤ２００４に格納する。初期化ボタン８０２及びログアウト時の設定ボタン８０３が押下されたときも登録ボタン８０１が押下されたときと同様に、その時点でＨＤＤ２００４に登録されている設定情報に関するリストを表示してユーザに登録内容の確認をさせてもよい。閉じるボタン８０４を押下したときは、デフォルト設定変更画面８００を閉じる。なお、デフォルト設定変更画面８００は、ユーザが個別にカスタマイズすることができる。
【００５４】
図９は、図８のデフォルト設定変更画面８００を用いてデフォルト設定を変更するデフォルト設定変更処理の手順を示すフローチャートである。
【００５５】
図９において、まず、画像形成装置２００のユーザが図８のデフォルト設定変更画面８００を用いて所定の機能のデフォルト設定の変更を開始する（ステップＳ９０１）。次いで、以下の判別を行う。すなわち、登録ボタン８０１が選択されたか否かを判別し（ステップＳ９０２）、初期化ボタン８０２が選択されたか否かを判別する（ステップＳ９０３）。
【００５６】
ステップＳ９０２の判別の結果、登録ボタン８０１が選択されたときは、登録ボタン８０１に応じた所定の機能に関する設定情報をＨＤＤ２００４に格納する（ステップＳ９０４）。ステップＳ９０３の判別の結果、初期化ボタン８０２が選択されたときは、工場出荷時の所定の機能に関する設定情報をＨＤＤ２００４に格納する（ステップＳ９０５）。
【００５７】
ステップＳ９０２〜Ｓ９０５の各判別の結果、登録ボタン８０１及び初期化ボタン８０２のいずれも選択されずログアウト時の設定ボタン８０３が選択されたときは、デフォルト設定としてログアウト時の設定情報をＨＤＤ２００４に格納する（ステップＳ９０６）。
【００５８】
続くステップ９０７で、画像形成装置２００の使用を終了する「ログアウト」が指示されると（ステップＳ９０７でＹＥＳ）、デフォルト設定の選択情報をＨＤＤ２００４から取得し（ステップＳ９０８）、取得されたデフォルト設定の選択情報が「ログアウト時の設定」であるか否かを判別する（ステップＳ９０９）。
【００５９】
ステップＳ９０９の判別の結果、デフォルト設定の選択情報が「ログアウト時の設定」のときは、ログアウト時の所定の機能に関する設定情報をＨＤＤ２００４に格納して（ステップＳ９１０）、本処理を終了する。一方、ステップＳ９０９の判別の結果、デフォルト設定の選択情報が「ログアウト時の設定」以外のときは、ステップＳ９１０をスキップして、直ちに本処理を終了する。
【００６０】
図１０は、図９の処理によって変更されたデフォルト設定を実行するデフォルト設定実行処理の手順を示すフローチャートである。
【００６１】
図１０において、ユーザがログインすると（ステップＳ１００１でＹＥＳ）、図９の処理で設定されると共にログインしたユーザに関連付けられたデフォルト設定に関する情報をＨＤＤ２００４より取得する（ステップＳ１００２）と共に、この取得した情報を液晶表示部４０１に表示して（ステップＳ１００３）、本処理を終了する。
【００６２】
図９及び図１０の処理によれば、デフォルト設定を変更する場合に登録ボタン８０１、初期化ボタン８０２、及びログアウト時の設定ボタン８０３のいずれか１つが押下され（ステップＳ９０１）、夫々のボタンに応じた所定の機能のデフォルト設定に関する情報が設定されるので（ステップＳ９０２〜Ｓ９０３、及びステップＳ９０６）、ユーザが意図するデフォルト設定に関する情報を液晶表示部４０１に表示することができる（ステップＳ１００３）。
【００６３】
図６及び図７の処理、図９及び図１０の処理の他にも、カスタマイズ機能及びレジューム機能の双方を有する場合、カスタマイズ機能又はレジューム機能のいずれか一方を優先的に実行してもよく、また、レジューム機能によって再開する設定はログアウト時の設定である必要はなく、ユーザの任意のタイミングで設定されたものでもよい。
【００６４】
また、本発明は、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体は本発明を構成する。
【符号の説明】
【００６５】
２００１  ＣＰＵ
４０１  液晶表示部
５０１ａ  メインメニュー
５０１ｂ  カスタムメニュー
５０１ｃ  コピー
５０２  ログアウト時の画面
８０１  登録ボタン
８０２  初期化ボタン
８０３  ログアウト時の設定ボタン
【図１】
2018050296.tif 000003
【図２】
2018050296.tif 000004
【図３】
2018050296.tif 000005
【図４】
2018050296.tif 000006
【図５】
2018050296.tif 000007
【図６】
2018050296.tif 000008
【図７】
2018050296.tif 000009
【図８】
2018050296.tif 000010
【図９】
2018050296.tif 000011
【図１０】
2018050296.tif 000012